(57)【要約】【課題】組み立て作業を簡易化することができるとともに、組み立て状態における剛性の向上をも図ることができ、ひいては各板部材の薄型化を実現可能な電気機器収納用箱体を提供する。【解決手段】各板部材の周縁に形成された折り返し部Ｓにシール材を設け、該シール材により、組み立て時において隣接する板部材の折り曲げ部Ｒと折り返し部Ｓとを接着して組み立てるようにした。したがって、各板部材をネジ止めして組み立てていた従来の電気機器収納用箱体と比較して、組立作業を非常に簡素なものとすることができる。また、接着面積を比較的広くとることができる折り返し部Ｓと折り曲げ部Ｒとを接着させるようにしているため、接着面が不用意に剥がれたりするおそれがなく、電気機器収納用箱体の安定性を高めることができる。【選択図】図３
2008124401.tif 000002
【特許請求の範囲】
【請求項１】
複数の板部材を組み立てることで前面を除く他の５面が閉塞された箱本体と、該箱本体に組み付けられ、前記前面を開閉する扉部材とからなる電気機器収納用箱体であって、
前記板部材を、周縁部に折り曲げ加工が施された折り曲げ部を有する箱状体に形成するとともに、前記折り曲げ部の少なくとも一部にシール材を設け、該シール材により、組み立て時において隣接する板部材の折り曲げ部同士を接着して組み立て可能とした電気機器収納用箱体。
【請求項２】
組み立て状態において隣接する折り曲げ部の一方に爪片を、他方に前記爪片を挿通可能なスリットを開設し、折り曲げ部同士の接着とともに前記爪片を前記スリットへ挿通させ、さらに爪片を前記スリットへの挿通状態にて折り曲げ可能としたことを特徴とする請求項１に記載の電気機器収納用箱体。
【発明の詳細な説明】
【技術分野】
【０００１】
本発明は、たとえば配電用機器や通信機器等の各種電気機器を収納するための電気機器収納用箱体（以下、収納箱と称す）に関するものである。
【背景技術】
【０００２】
従来、配電用機器や通信機器等といった各種電気機器を収納するための収納箱としては、アングル枠等を溶接してフレームを形成し、その周囲各面に閉塞板を溶接やネジ止めによって取り付けて形成したものや、金属板を折り曲げて背板及び側板等を連続形成し、天板や底板等をその金属板に溶接等により取り付けて形成するといったフレームレス構造のものがある。
【０００３】
しかしながら、上記フレーム構造の収納箱やフレームレス構造の収納箱は、何れも工場等で組み立てられた状態で出荷され、保管及び運搬は該組み立て状態のまま行われる。したがって、保管のために広いスペースが必要となるし、運搬時における効率も悪く、一度に多くの収納箱を運搬できないという問題がある。
そこで、背板、天板、底板、及び側板等を設置現場でネジ止め等により組み立て可能とした収納箱が提案されている（たとえば、特許文献１）。該構成のものにあっては、設置現場で組み立てるまで各板を重ねて保管及び運搬することができるため、保管スペースが狭くてすむし、運搬時の効率を向上することができ、運搬コストを低減することができる、といった利点がある。
【０００４】
【特許文献１】特開２００３−３１８５６０号公報
【発明の開示】
【発明が解決しようとする課題】
【０００５】
しかしながら、上記特許文献１に記載の収納箱は、背板、天板、底板、及び側板を全てネジ止めにより組み立てるものであるため、組み立て作業に手間がかかるし、組み立てた収納箱に十分な剛性を保たせることが難しく、各板部材を分厚く形成する必要がある等といった問題がある。
【０００６】
そこで、本発明は、上記問題を解決すべくなされたものであって、組み立て作業を簡易化することができるとともに、組み立て状態における剛性の向上をも図ることができ、ひいては各板部材の薄型化を実現可能な収納箱を提供しようとするものである。
【課題を解決するための手段】
【０００７】
上記目的を達成するために、本発明のうち請求項１に記載の発明は、複数の板部材を組み立てることで前面を除く他の５面が閉塞された箱本体と、該箱本体に組み付けられ、前記前面を開閉する扉部材とからなる電気機器収納用箱体であって、前記板部材を、周縁部に折り曲げ加工が施された折り曲げ部を有する箱状体に形成するとともに、前記折り曲げ部の少なくとも一部にシール材を設け、該シール材により、組み立て時において隣接する板部材の折り曲げ部同士を接着して組み立て可能としたことを特徴とする。
請求項２に記載の発明は、請求項１に記載の発明において、組み立て状態において隣接する折り曲げ部の一方に爪片を、他方に前記爪片を挿通可能なスリットを開設し、折り曲げ部同士の接着とともに前記爪片を前記スリットへ挿通させ、さらに爪片を前記スリットへの挿通状態にて折り曲げ可能としたことを特徴とする。
【発明の効果】
【０００８】
本発明によれば、周縁部に折り曲げ加工が施された折り曲げ部を有する箱状体に形成しているため、各板部材の剛性を向上することができる。したがって、組み立て状態における電気機器収納用箱体を安定したものとすることができるし、従来よりも各板部材の薄型化を図ることができるため、組み立て作業や運搬作業等の作業効率を向上することができる。
また、本発明によれば、折り曲げ部の少なくとも一部にシール材を設け、該シール材により、組み立て時において隣接する板部材の折り曲げ部同士を接着して組み立て可能としているため、各板部材をネジ止めして組み立てていた従来の収納箱と比較して、組立作業を非常に簡素なものとすることができる。さらに、接着面積を比較的広くとることができる折り曲げ部同士を接着させるようにしているため、接着面が不用意に剥がれたりするおそれがなく、電気機器収納用箱体の安定性を高めることができる。
加えて、請求項２に記載の発明によれば、組み立て状態において隣接する折り曲げ部の一方に爪片を、他方に爪片を挿通可能なスリットを開設し、折り曲げ部同士の接着とともに爪片をスリットへ挿通させ、さらに爪片をスリットへの挿通状態にて折り曲げるようにしているため、電気機器収納用箱体の剛性の更なる向上を図ることができるし、板部材同士を接着するにあたり、爪片のスリットへの挿通作業が板部材同士の位置決め作業にもなるため、組み立て作業の一層の簡素化を実現することができる。
【発明を実施するための最良の形態】
【０００９】
以下、本発明の一実施形態となる収納箱について、図面をもとに説明する。
図１は、収納箱１の外観を示した斜視説明図であり、図２は、収納箱１の前扉２を取り外した状態を示した斜視説明図である。また、図３は、分解状態にある底板５及び背板６の一部と、右側の側板４とを示した斜視説明図であり、図４は、図３中のＡ部の拡大説明図である。
【００１０】
収納箱１は、天板３、一対の側板４、４、底板５、及び背板６を、前面を除く他の５面を閉塞するような箱状に組み立てた箱本体１ａに、該箱本体１ａの前面開口を開閉する前扉２を蝶着してなるものである。前扉２は、箱本体１ａの前面右端部に設けられたヒンジ軸７を中心として片開き自在に取り付けられる。また、箱本体１ａの前面開口周縁にはフランジ部Ｆが設けられており、前面開口４隅のフランジ部Ｆ裏面には、組み立て状態にある箱本体１ａを補強するための補強金具２０が取り付けられている。
【００１１】
まず、右側の側板４、底板５、及び背板６と、該板部材４、５、６の組み立てについて説明する。尚、左側の側板４は、右側の側板４と鏡面対称形状に形成されたものであって、以下詳述する右側の側板４と同様の構成要素を備えている。
底板５は、金属製板状部材の周縁部に、それぞれ補強のための折り曲げ加工を施した折り曲げ部Ｒを有する箱状体に形成されてなる。各折り曲げ部Ｒは、板状部材を上方へ起こすように折り曲げて形成した壁部Ｒ１と、該壁部Ｒ１の先端を更に外方へ折り曲げて形成した鍔部Ｒ２とからなる。そして、前縁に形成された折り曲げ部Ｒを除く他の折り曲げ部Ｒの両端（前後端又は左右端）位置の鍔部Ｒ２基端部には、後述する爪片１０を挿通可能なスリット１１が開設されている。尚、底板５の前縁の折り曲げ部Ｒは、組み立て状態においてフランジ部Ｆを形成する。
【００１２】
背板６は、金属製板状部材の上縁及び左右両縁に、上記底板５同様の折り曲げ部Ｒを有するとともに、下縁に後述の如き折り返し部（折り曲げ部）Ｓを有する箱状体に形成されてなる。折り返し部Ｓは、板状部材を上方へ起こすように折り曲げた後、更に内方へ折り返して設けられる。そして、該折り返し部Ｓの外面にはシール材１５が貼着されており、底板５の後縁の壁部Ｒ１外面へ当接させることにより、背板６の折り返し部Ｓと底板５の折り曲げ部Ｒとを接着可能となっている。また、折り返し部Ｓの左右両端位置であって、底板５の後縁の折り曲げ部Ｒに設けられた上記スリット１１、１１と対応する位置には、スリット１１に挿通可能な爪片１０、１０が上方へ突設されている。各爪片１０は、対応するスリット１１と略同じ幅及び厚みに形成されており、スリット１１への挿通状態におけるガタつきを最小限に抑えるようになっている。一方、背板６の各折り曲げ部Ｒの両端（上下端又は左右端）位置及び上縁に形成された折り曲げ部Ｒの中央位置には、上記同様のスリット１１が形成されている。尚、シール材１５の粘着面は、通常、粘着性を有さない被覆部材で覆われており、箱本体１ａの組み立て時には、該被覆部材を剥がし、粘着面を露出させて使用する。
【００１３】
側板４は、金属製板状部材の上縁及び前縁に上記同様の折り曲げ部Ｒを有するとともに、下縁及び後縁に上記同様の折り返し部Ｓを有する箱状体に形成されてなる。そして、折り返し部Ｓ、Ｓの外面には、上記背板６同様、シール材１５が貼着されており、底板５の右縁の折り曲げ部Ｒや背板６の右縁の折り曲げ部Ｒに接着可能となっている。また、各折り返し部Ｓの両端（左右端又は上下端）位置であって、底板５の折り曲げ部Ｒ又は背板６の折り曲げ部Ｒに設けられたスリット１１、１１と対応する位置には、上記同様の爪片１０、１０が突設されている。さらに、上縁に形成された折り曲げ部Ｒの前端部には、上記同様のスリット１１が開設されている。
【００１４】
ここで、上述したような側板４、底板５、及び背板６の組み立てについて説明する。図５及び６は、側板４、底板５、及び背板６を組み立てる様子を示した説明図である。
まず、図５に示す如く、背板６の爪片１０、１０を、底板５の後縁の折り曲げ部Ｒに開設されたスリット１１、１１へ挿通させるとともに、当該折り曲げ部Ｒの壁部Ｒ１外面に背板６の折り返し部Ｓに貼着されたシール材１５を当接させ、折り返し部Ｓと折り曲げ部Ｒとを接着して背板６を底板５へ組み付ける。次に、図６に示す如く、側板４の下縁の折り返し部Ｓを底板５の右縁の折り曲げ部Ｒの壁部Ｒ１外面に、側板４の後縁の折り返し部Ｓを背板６の右縁の折り曲げ部Ｒの壁部Ｒ１外面に夫々当接させるようにして、各爪片１０を対応するスリット１１へ挿通させた状態で、側板４を底板５及び背板６に接着する。そして、図６（ｂ）に示す如く、スリット１１へ挿通状態にある各爪片１０を折り曲げ部Ｒに沿って折り曲げれば、側板４がより強固に底板５及び背板６と連結されて組み立て完了となる。尚、左側の側板４は、右側の側板４と同様に組み付けられる。
【００１５】
次に、天板３、及び該天板３の組み付けについて説明する。図７は、組み付け前の天板３を下方から示した斜視説明図である。
天板３は、金属製板状部材の前縁に上記同様の折り曲げ部Ｒを有するとともに、他の周縁に上記同様の折り返し部Ｓを有する箱状体に形成されてなる。天板３の折り返し部Ｓ、Ｓ・・にも、側板４や背板６同様、シール材１５が貼着されており、側板４、４及び背板６の上縁の折り曲げ部Ｒ、Ｒ・・に接着可能となっている。また、左右両側縁の折り返し部Ｓの前部、及び後縁の折り返し部Ｓの左右両端部と中央部とであって、側板４、４及び背板６の上縁の折り曲げ部Ｒに開設されているスリット１１、１１・・と対応する位置には、該スリット１１へ挿通可能な爪片１０、１０・・が突設されている。尚、１２は、補強金具２０を位置決めするための突起であり、１３は、補強金具２０をボルト固定するためのボルト孔である。
【００１６】
上述の如き天板３は、組み立て状態にある側板４、４、底板５、及び背板６に対し、各爪片１０を対応するスリット１１へ挿通させるとともに、折り返し部Ｓ、Ｓ・・に貼着されたシール材１５を、側板４、４及び背板６の上縁の折り曲げ部Ｒ（壁部Ｒ１）へ当接させ、折り返し部Ｓ、Ｓ・・と折り曲げ部Ｒ、Ｒ・・とを接着して組み付けられる。また、各爪片１０を、スリット１１への挿通状態において、各折り曲げ部Ｒに沿って折り曲げれば、天板３の組み付けは完了となり、箱本体１ａの組み立て作業も完了となる。
そして、組み立てられた箱本体１ａに前扉２を蝶着すれば、収納箱１は完成となる。尚、補強金具２０の取付作業は、箱本体１ａの組み立てに際して適宜行われる。
【００１７】
以上、詳述したような収納箱１によれば、天板３、側板４、４、底板５、及び背板６をシール材１５による接着によって組み立てられる。したがって、各板部材をネジ止めして組み立てていた従来の収納箱と比較して、組立作業を非常に簡素なものとすることができるし、接着面積が広いため、組み立て状態における箱本体１ａに十分な剛性を保たせることができ、ひいては各板部材３、４、５、６の薄型化を図ることができる。
【００１８】
また、板部材同士を接着するシール材１５は、天板３、側板４、４、及び背板６の縁部に形成された折り返し部Ｓに貼着されており、該折り返し部Ｓを折り曲げ部Ｒの壁部Ｒ１に当接させるようにして板部材同士を接着する。このように、比較的面積の広い面同士にて接着する構成としているため、不用意に剥がれたりするおそれもなく、安定した箱本体１ａとすることができる。
【００１９】
さらに、天板３、側板４、４、底板５、及び背板６を組み立てるにあたっては、各板部材に設けられている爪片１０、１０・・をスリット１１、１１・・へ挿通させ、さらに折り曲げることにより、接着された板部材同士をより強固に連結するようになっている。したがって、組み立て状態における箱本体１ａの剛性の更なる向上を図ることができるし、板部材同士を接着するにあたり、爪片１０のスリット１１への挿通作業が板部材同士の位置決め作業にもなるため、箱本体１ａの組み立て作業の一層の簡素化を実現することができる。
【００２０】
さらにまた、各爪片１０を、対応するスリット１１の幅及び厚みと略同様の寸法となるように形成しているため、挿通状態にある爪片１０のガタつきを最小限に抑えることができ、ガタつきのない収納箱１とすることができる。
またさらに、前面開口周縁に形成されるフランジ部Ｆの裏面に補強金具２０を取り付けているため、組み立て状態にある箱本体１ａの剛性の一層の向上を実現することができる。
加えて、天板３、側板４、４、底板５、及び背板６を、金属製板状部材の周縁部に、折り曲げ部Ｒや折り返し部Ｓといった補強加工を施してなる箱状体に形成しているため、収納箱１の剛性の向上、それに伴う各板部材の薄型化等といった効果を一層顕著なものとすることができる。
【００２１】
なお、本発明の収納箱に係る構成は、上記実施形態に記載の態様に何ら限定されるものではなく、各板部材の形状、スリットや爪片の数、設置位置、及び折り曲げ部や折り返し部の形状等に係る構成を、本発明の趣旨を逸脱しない範囲で、必要に応じて適宜変更することができる。
【００２２】
たとえば、上記実施形態に記載したような構成の底板等において、底板の折り曲げ部の壁部外面にシール材を貼着するようにしてもよいし、上記実施形態に記載のものとは異なり、底板に折り返し部を設ける一方、背板等に該折り返し部に当接する折り曲げ部を設けて、その何れかにシール材を貼着するような構成としてもよい。
また、シール材を折り返し部や折り曲げ部の全面にわたって貼着してもよいし、部分的にシール材を貼着することで、コスト削減等を図るようにしてもよい。
さらに、各板部材にスリット又は爪片の何れを設けるかは適宜変更可能である（たとえば、底板に爪片を、側板にスリットを夫々設けるようにしてもよい）し、爪片とスリットとの両者を一の折り曲げ部に設ける（たとえば、折り曲げ部の前部には爪片を、後部にはスリットを夫々設ける）ことも可能である。
【図面の簡単な説明】
【００２３】
【図１】収納箱の外観を示した斜視説明図である。
【図２】収納箱の前扉を取り外した状態を示した斜視説明図である。
【図３】分解状態にある底板及び背板の一部と、右側の側板とを示した斜視説明図である。
【図４】Ａ部の拡大説明図である。
【図５】側板、底板、及び背板を組み立てる様子を示した説明図である。
【図６】側板、底板、及び背板を組み立てる様子を示した説明図である。
【図７】組み付け前の天板を下方から示した斜視説明図である。
【符号の説明】
【００２４】
１・・収納箱、１ａ・・箱本体、２・・前扉、３・・天板、４・・側板、５・・底板、６・・背板、１０・・爪片、１１・・スリット、１５・・シール材、Ｆ・・フランジ部、Ｒ・・折り曲げ部、Ｒ１・・壁部、Ｒ２・・鍔部、Ｓ・・折り返し部。
【図１】
2008124401.tif 000003
【図２】
2008124401.tif 000004
【図３】
2008124401.tif 000005
【図４】
2008124401.tif 000006
【図５】
2008124401.tif 000007
【図６】
2008124401.tif 000008
【図７】
2008124401.tif 000009